(57)【要約】      （修正有）【課題】ユーザの操作力を過度に高くすることなく光軸の向きを変更可能とし、変更後の光軸の保持力を高くできる移動体室内照明装置を提供する。【解決手段】移動体室内照明装置１０は、光源部１２と、光源部１２を保持する保持部５０と、保持部５０に光源部１２を圧迫する圧迫部７２とを含む。光源部１２は発光体を内部に有する球状の筐体１３を有する。圧迫部７２は、保持部５０に接続した橋体である。圧迫部７２の中央部には、光源部の外面と常に接触する第１接触領域が配置される。第１接触領域と、光源部の外面のうち第１接触領域に接触可能な光源側接触領域とには、互いに嵌合可能な少なくとも１つの凹部３２及び凸部８１ａが形成されている。第１接触領域及び光源側接触領域の一方の凹部または凸部の数は、他方の凸部または凹部の数より少ない。【選択図】図１
2020050195.tif 000002
【特許請求の範囲】
【請求項１】
光源部と、
前記光源部を保持する保持部と、
前記保持部に前記光源部を圧迫する圧迫部と、を備え、
前記光源部は発光体を内部に有する球状の筐体を有し、
前記圧迫部は、前記保持部に接続した橋体であり、
前記圧迫部の中央部には、前記光源部の外面と常に接触する第１接触領域が配置されており、
前記第１接触領域と、前記光源部の外面のうち前記第１接触領域に接触可能な光源側接触領域とには、互いに嵌合可能な少なくとも１つの凹部及び凸部が形成されており、
前記第１接触領域及び前記光源側接触領域の一方の前記凹部または前記凸部の数は、前記第１接触領域及び前記光源側接触領域の他方の前記凸部または前記凹部の数より少ない、
移動体室内照明装置。
【請求項２】
前記第１接触領域には前記凸部が形成され、
前記光源部の外面のうち前記第１接触領域に接触する部分には前記凹部が形成されている、
請求項１に記載の移動体室内照明装置。
【請求項３】
前記光源側接触領域には、前記凹部として、中心軸が同一の複数の円環凹部が形成されており、
前記第１接触領域には、前記複数の円環凹部のそれぞれに嵌合可能な前記凸部が形成されている、
請求項２に記載の移動体室内照明装置。
【請求項４】
前記圧迫部は、樹脂構造体と板ばねとを含んでおり、
前記板ばねが、前記樹脂構造体を介して前記光源部を圧迫している、
請求項１〜３のいずれか１項に記載の移動体室内照明装置。
【請求項５】
前記圧迫部は、前記第１接触領域よりも長手方向の端に近い部分に前記光源部から離間した第２接触領域が配置されており、
前記第２接触領域は、前記圧迫部の変形に応じて前記光源部と接触する、
請求項１〜４のいずれか１項に記載の移動体室内照明装置。
【請求項６】
前記第１接触領域には、前記凸部として環状のリブが配置されている、
請求項１〜５のいずれか１項に記載の移動体室内照明装置。
【請求項７】
前記第１接触領域には、前記凸部として、中心軸が同一の複数の円環リブが配置されている、
請求項１〜５のいずれか１項に記載の移動体室内照明装置。
【請求項８】
前記第２接触領域は、前記圧迫部の変形に応じて前記光源部の外面と断面円弧形の部分で接触し、前記第２接触領域が前記光源部の外面に接触した状態で、前記圧迫部の光照射側の前記第１接触領域と前記第２接触領域との間には、前記光源部の外面から離れた非接触領域が配置される、
請求項５に記載の移動体室内照明装置。
【請求項９】
前記発光体の光軸が中心軸と一致している場合において、前記第２接触領域の少なくとも一部は、前記筐体の外面における球面の中央点から、前記圧迫部の幅方向中央での前記光照射側とは反対側面の長手方向の最外端を通る平面よりも、前記光照射側に配置されている、
請求項５に記載の移動体室内照明装置。
【請求項１０】
請求項１〜９のいずれか１項に記載の移動体室内照明装置を備え、
前記移動体室内照明装置が座席の上側に配置された、
移動体。
【発明の詳細な説明】
【技術分野】
【０００１】
本開示は、移動体室内照明装置及び移動体に関する。
【背景技術】
【０００２】
従来から、鉄道車両、航空機等の座席の近くに設置される移動体室内照明装置として、金属製の保持部に光源部の球体状の筐体を保持し、保持部の円形の開口から突出した筐体の一部に短筒部を設ける構成が知られている。短筒部の内側には光源部のレンズ部が配置され、短筒部の開口から光源部の光が出射される。保持部の光出射側とは反対側には板ばねが設けられ、その板ばねが筐体の外面を光出射側に押し付けている。これにより、筐体は、所定の範囲で板ばねに押し付けられながら回動可能となる。このため、ユーザが光源部を光出射側から手で触って回動させることができる。
【０００３】
特許文献１には、自動車のオーバーヘッドコンソールに組み込まれた照明アセンブリ（移動体室内照明装置）が記載されている。この照明アセンブリでは、発光体を内部に有するランプ（光源部）を、ハウジング及びベゼルの内側に配置し、ランプの上側に取り付けられたランプカバーの上側に突出するピボット（凸部）を、ハウジングの凹部に押し付けている。
【先行技術文献】
【特許文献】
【０００４】
【特許文献１】特表２００９−５４１９４１号公報
【発明の概要】
【発明が解決しようとする課題】
【０００５】
移動体室内照明装置の上記の従来構成では、光源部の光軸の保持力を板ばねの調整で高くすると、ユーザが光源部を回動させるのに必要な力が大きくなるため、ユーザビリティ性が低下する傾向となる。逆に、光軸の保持力を低くすると、光源部が不安定になり、かつ耐振動性が低くなる。このため、ユーザの操作力を過度に高くすることなく光軸の向きを変更可能とし、変更後の光軸の保持力を高くできる構造の実現が望まれる。特許文献１に記載された構成も、従来構成と同様の不都合が生じる。
【課題を解決するための手段】
【０００６】
本開示の一態様である移動体室内照明装置は、光源部と、光源部を保持する保持部と、保持部に光源部を圧迫する圧迫部と、を備え、光源部は発光体を内部に有する球状の筐体を有し、圧迫部は、保持部に接続した橋体であり、圧迫部の中央部には、光源部の外面と常に接触する第１接触領域が配置されており、第１接触領域と、光源部の外面のうち第１接触領域に接触可能な光源側接触領域とには、互いに嵌合可能な少なくとも１つの凹部及び凸部が形成されており、第１接触領域及び光源側接触領域の一方の凹部または凸部の数は、第１接触領域及び光源側接触領域の他方の凸部または凹部の数より少ない、移動体室内照明装置である。
【０００７】
本開示の一態様である移動体は、本開示の移動体室内照明装置を備え、移動体室内照明装置が座席の上側に配置された移動体である。
【発明の効果】
【０００８】
本開示の一態様である移動体室内照明装置及び移動体によれば、凹部と凸部との嵌合構造で光軸の保持を容易にし、かつ、耐振動性を向上できる。また、光源部を回動する際には、凹部と凸部との嵌合を外すことにより、移動時の位置に応じて保持力を間欠的に高くするようにクリック感を持たせながら、光源部を容易に回動できる。これにより、ユーザの操作力を過度に高くすることなく光軸の向きを変更可能とし、変更後の光軸の保持力を高くできる。
【図面の簡単な説明】
【０００９】
【図１】実施形態の一例の移動体室内照明装置を光出射方向とは逆の裏側から見た斜視図である。
【図２】実施形態の一例の移動体室内照明装置を光出射方向である正面側から見た斜視図である。
【図３】実施形態の一例の移動体室内照明装置を裏側から見た図である。
【図４】図３のＡ矢視図である。
【図５】実施形態の一例の移動体室内照明装置を正面側から見た分解斜視図である。
【図６】図１から光源部を取り出して裏側から見た図である。
【図７】図３のＢ−Ｂ断面図である。
【図８】図７の上半部拡大図である。
【図９】図８のＣ部拡大斜視図である。
【図１０】移動体室内照明装置の光源部が裏側に押されて保持部の第２接触領域に光源部が接触した状態を示している図８に対応する図である。
【図１１】実施形態の一例の移動体において、座席と移動体室内照明装置との関係を示す図である。
【図１２】実施形態の別例の移動体照明装置において、光源部の光源ボディの外面中心部を裏側から見た図である。
【図１３】実施形態の別例の移動体照明装置において、図８に対応する図である。
【図１４】実施形態の別例の移動体照明装置において、図７の上半部に対応する図である。
【図１５】実施形態の別例において、光源部が裏側に押されて保持部の第２接触領域に光源部が接触した状態を示している図１４に対応する図である。
【発明を実施するための形態】
【００１０】
以下、図面を参照しながら、本開示に係る移動体室内照明装置の実施形態の一例について詳細に説明する。実施形態の説明で参照する図面は模式的に記載されたものであるから、各構成要素の寸法比率などは以下の説明を参酌して判断されるべきである。以下の説明において、具体的な形状、材料、数量等は、本開示の理解を容易にするための例示であって、照明装置の仕様に合わせて適宜変更することができる。以下では、すべての図面において同様の要素には同一の符号を付して説明する。
【００１１】
図１は、実施形態の一例の移動体室内照明装置１０を光出射方向とは逆の裏側から見た斜視図である。図２は、移動体室内照明装置１０を光出射方向である正面側から見た斜視図である。図３は、移動体室内照明装置１０を裏側から見た図である。図４は、図３のＡ矢視図である。図５は、移動体室内照明装置１０を正面側から見た分解斜視図である。図６は、図１から光源部を取り出して裏側から見た図である。図７は、図３のＢ−Ｂ断面図である。図８は、図７の上半部拡大図である。図９は、図８のＣ部拡大斜視図である。以下では、移動体室内照明装置１０は、照明装置１０と記載する。
【００１２】
図１から図８に示すように、照明装置１０は、光源部１２と、保持部５０と、摺動リング７０（図５、図７）と、圧迫部７２とを備える。
【００１３】
照明装置１０は、移動体である航空機９０（図１１）の座席９１（図１１）の近くに配置される。具体的には、航空機９０における乗客用の座席９１の上側において座席９１に座ったユーザの手が届く範囲に設けられた取付孔に埋め込んで取り付けられ、下側に光を照射する。これについては、後で図１１を用いて説明する。本明細書では、説明の便宜上、照明装置１０を取り付けた状態で、照明装置１０の光出射側を「正面側」と記載し、その反対側を「裏側」と記載する。
【００１４】
光源部１２は、略球状の筐体１３、発光体４０（図７）、及びレンズ４４（図２）を含んで構成される。筐体１３は、正面側（図４、図５の下側）のカバー１４と、裏側（図４、図５の上側）の光源ボディ３０とを結合して形成される。図５、図７に示すように、カバー１４は、半球面状の内面及び外面を有し、正面側に突出する短筒部１５を含む。カバー１４は、例えば軽量でかつ耐熱性に優れた樹脂等により形成される。
【００１５】
短筒部１５の正面側端である先端には円形の開口１８が形成される。カバー１４の裏側端にも開口１９が形成される。カバー１４の内面には、複数の取付凸部２２（図７）が形成され、取付凸部２２には中心軸Ｏ１と平行方向のネジ孔（図示せず）が形成される。
【００１６】
図５〜図７に示すように、光源ボディ３０は、略半球状に形成され、正面側端のほとんどの部分に中心軸Ｏ１に対し直交する平面に沿う平面部３１を有する。さらに、図１、図３、図６に示すように、光源ボディ３０の外面の中心寄り部分である光源側接触領域Ｓには、複数の凹部３２が略均等に配置されている。複数の凹部３２のそれぞれは、半球状である。複数の凹部３２のうち、１つの中心の凹部３２は光源ボディ３０の外面の中心に配置され、その周囲において中心軸が同一の複数の円上に、残りの凹部３２が配置されている。後述するように、光源側接触領域Ｓには、後述する圧迫部７２の中央部に配置された第１接触領域Ｔ１（図８）が常に接触する。複数の凹部３２のそれぞれは、第１接触領域Ｔ１に形成された凸部８１ａと、互いに嵌合可能である。
【００１７】
光源ボディ３０の正面側端部の外周面の周方向複数位置には、溝部３３，３４が形成される。光源ボディ３０の正面側端部の外周面の互いに１８０度位相が異なる２つの位置には、中心軸Ｏ１に対し直交する方向に突出する２つの凸部３５，３６が形成されて配置される。２つの凸部３５，３６の大きさはほぼ同じである。２つの凸部３５，３６の裏側面は、２つの溝部３３の正面側面から平面状に連続する。各凸部３５，３６の先端部は、正面側端の平面部３１よりも正面側に突出する。各凸部３５，３６の先端部の横から見た場合の外形は矩形である。各凸部３５，３６は、光源ボディ３０とカバー１４との外面によって構成される球面部分において、中心からの距離が最も大きい赤道線上にほぼ位置する。２つの凸部３５，３６は、後述する保持部５０に対し筐体１３が移動する範囲を規制するために用いられる。光源ボディ３０は、例えば金属、好ましくは鉄よりも軽量なアルミニウムまたはその合金の鋳造によって形成される。
【００１８】
光源ボディ３０の複数の溝部３３，３４のうち、少なくとも一部の溝部３３の正面側端面には中心軸Ｏ１と平行方向に貫通する孔３７が形成される。孔３７を貫通したボルト（図示せず）が図７に示すカバー１４の取付凸部２２に形成されたネジ孔に結合される。これにより、カバー１４と光源ボディ３０とが一体に固定され、カバー１４の外面と光源ボディ３０の外面とが、中央点Ｏ２（図７）が一致した球面の一部を形成する。この状態で、２つの凸部３５，３６は、筐体１３の外面から突出する。
【００１９】
図７に示す発光体４０は、筐体１３の内部に配置される。発光体４０は、基板４１上に実装される。発光体４０は、例えば白色発光するＬＥＤ（発光ダイオード）である。基板４１は、例えば、セラミック基板、樹脂基板、またはメタルベース基板等である。基板４１には、リード線（図示せず）を介して電源部（図示せず）が接続される。電源部には電線（図示せず）が接続されて、電線に接続されたコネクタを介して交流電源の電力が供給される。電源部は、交流電力を直流電力に変換した後、発光体４０に電力を供給する。基板４１は、発光体４０を正面側に配置して、樹脂シート等のシート材（図示せず）を介して光源ボディ３０の平面部３１に取り付けられる。図５では、発光体４０及び基板４１の図を省略する。
【００２０】
図５、図７に示すレンズ４４は、筐体１３の内部において、発光体４０の正面側に配置される。具体的には、レンズ４４は、発光体４０が発した光を透過させて出射する位置に配置される。レンズ４４は、例えば円筒状のレンズホルダ（図示せず）の内側に保持され、そのレンズホルダが光源ボディ３０の正面側端にボルトにより取り付けられる等により、光源ボディ３０に固定される。
【００２１】
基板４１に接続されたリード線は、光源ボディ３０に形成された孔（図示せず）を通って外部に取り出される。リード線は、電源部を介して電線に接続され、電線はコネクタを介して外部の交流電源に接続される。
【００２２】
保持部５０は、環状の円板部５１と、円板部５１の裏側面の内周側端部から突出する２つの壁部５４ａ、５４ｂとを含む。２つの壁部５４ａ、５４ｂは、互いに保持部５０の周方向に離れて配置される。保持部５０は、内側に光源部１２を保持する。円板部５１の正面側面の内周側端部から断面略Ｌ字形の短筒部５３が形成される。短筒部５３は、正面側端に内周側に突出する円形鍔部５３ａを有する。保持部５０は、例えば金属、例えばアルミニウムまたはその合金の鋳造によって形成される。保持部５０は、樹脂により形成されてもよい。
【００２３】
保持部５０の短筒部５３の円形鍔部５３ａ上（裏側面上）には摺動リング７０が配置される。摺動リング７０は、樹脂シートであり、内周面には断面円弧形の曲面部７１が形成される。曲面部７１は、光源部１２のカバー１４外面の球面とほぼ一致する形状である。曲面部７１は、裏側端に向かって直径が大きくなる。これにより、曲面部７１は、カバー１４の外面を受けて、光源部１２を摺動可能に支持する。
【００２４】
保持部５０の２つの壁部５４ａ、５４ｂの裏側端のうち、互いに１８０度位相が異なる２つの位置には、２つのゲート部５５が突出するように形成される。各ゲート部５５は、２つの平行な脚部と、２つの脚部の裏側端を連結する直線部とからなる。
【００２５】
圧迫部７２は、樹脂構造体７３と、板ばね８０とが結合されて形成される。圧迫部７２は、保持部５０に接続した橋体である。圧迫部７２の中央部には、光源部１２の外面の光源側接触領域Ｓ（図８）と常に接触する第１接触領域Ｔ１（図８）が配置されており、第１接触領域Ｔには、１つの凸部８１ａが形成されている。具体的には、図４、図７に示すように、樹脂構造体７３は、三角柱状の２つの端荷重受け部７４と、２つの端荷重受け部７４を樹脂構造体７３の幅方向（図４、図７の紙面の表裏方向）両端で連結する２つの連結部７７とが一体に形成されている。樹脂構造体７３の長手方向（図４、図７の左右方向）中央部で幅方向中間部には、中心軸Ｏ１方向に貫通する孔７８が形成される。図７に示すように端荷重受け部７４の正面側面は、光源部１２における光源ボディ３０の球面部の外形とほぼ一致する断面円弧形の曲面部７５を有する。この曲面部７５は、第２接触領域Ｔ２である。樹脂構造体７３の裏側には、板ばね８０を係止するための溝部７６が形成される。樹脂構造体７３は、例えば、ポリアセタール（ＰＯＭ）等の樹脂により形成される。
【００２６】
板ばね８０は、長尺な本体板部８１と、本体板部８１の長手方向両端から正面側に向かって略直角に曲げられた２つの端板部８２とを有する断面略Ｃ字形である。本体板部８１の中央部には、正面側に突出するように山形に変形させることにより凸部８１ａが形成される。第１接触領域Ｔ１は、本体板部８１の長手方向中央部の正面側面であり、この正面側面に凸部８１ａが形成される。凸部８１ａは１つであり、光源側接触領域Ｓに形成された凹部３２の数よりかなり少ない。
【００２７】
２つの端板部８２の先端には、互いに近づく方向に略直角に曲げられることで係止部８３が形成される。板ばね８０は、樹脂構造体７３の溝部７６に係止された状態で一体化され、板ばね８０の２つの端板部８２が、保持部５０の２つのゲート部５５を外側から挟むように、２つのゲート部５５に取り付けられる。この状態で、樹脂構造体７３の端荷重受け部７４は、ゲート部５５の裏側端に押し付けられる。また、係止部８３は、ゲート部５５の直線部に係止される。板ばね８０の凸部８１ａは、光源ボディ３０の外面の光源側接触領域Ｓと常に接触する。例えば、凸部８１ａは、樹脂構造体７３の中央部の孔７８を通じて正面側に突出し、その凸部８１ａが光源ボディ３０の裏側端の１つの凹部３２に嵌合しその開口端部に押し付けられる。したがって、光源部１２は、圧迫部７２の凸部８１ａと、摺動リング７０とに押し付けられ、かつ摺動しながら回動可能に保持される。これにより、圧迫部７２は、保持部５０に光源部１２を圧迫する。また、光源部１２の外面から突出した２つの凸部３５，３６は、保持部５０に形成された２つの壁部５４ａ、５４ｂの周方向の隙間に配置されることで、光源部１２の所定範囲での動きを可能とする。また、光源部１２の正面側端部が、保持部５０の正面側端の開口から突出してこの突出した部分をユーザが手で触って光源部１２を回動させることができるので、光源部１２の光軸の向きを任意に変えることができる。
【００２８】
さらに、図８に示すように、樹脂構造体７３の端荷重受け部７４と光源ボディ３０の外面との間には、通常状態で隙間Ｇが形成される。
【００２９】
図１０は、照明装置１０の光源部１２が裏側に押されて保持部５０（図７）の第２接触領域Ｔ２に光源部１２が接触した状態を示している図８に対応する図である。図８に示した状態から、ユーザが手で光源部１２を裏側（図１０の矢印α方向）に押した場合に圧迫部７２が変形することで上記の隙間Ｇ（図８）がなくなって端荷重受け部７４の第２接触領域Ｔ２に光源ボディ３０の外面が押し付けられる。これにより、第２接触領域Ｔ２は、圧迫部７２の変形に応じて光源部１２の外面と断面円弧形の部分で接触する。このため、後述のように、樹脂構造体７３が光源ボディ３０から中心軸Ｏ１方向にだけ力を受ける場合に比べて強度を高くできる。
【００３０】
第２接触領域Ｔ２は、第１接触領域Ｔ１よりも圧迫部７２の長手方向（図７、図８、図１０の左右方向）の端に近い部分に配置され、通常状態で光源部１２から離間している。第２接触領域Ｔ２が光源部１２の外面に接触した状態で、圧迫部７２の正面側の第１接触領域Ｔ１と第２接触領域Ｔ２との間には光源部１２の外面から離れた非接触領域Ｔ３が配置される。
【００３１】
また、光源ボディ３０に形成された複数の凹部３２は、光源ボディ３０の外面のうち圧迫部７２の第１接触領域Ｔ１に接触可能な部分に配置される。
【００３２】
さらに、図７に示すように、発光体４０の光軸が照明装置１０の中心軸Ｏ１と一致しているホームポジションにある場合において、筐体１３の外面の球面部分の中央点Ｏ２から、圧迫部７２の幅方向（図７の紙面の表裏方向）中央での裏側面の長手方向の最外端Ｅ１を通る平面Ｌ１よりも、第２接触領域Ｔ２（図１０）は、光照射側とは反対側の裏側に配置される。
【００３３】
このような照明装置１０は、図１１に示すように、航空機９０の座席９１の上側に配置された取付板部９２の取付孔（図示せず）に板ばね８０（図１）側を先にした状態で押し込んで、取付板部９２に取り付ける。このとき、取付板部９２の正面側に、保持部５０の円板部５１が露出され、例えば円板部５１及び取付板部９２を貫通したクリップ、ねじ等の結合部材（図示せず）により照明装置１０を取付板部９２に取り付ける。
【００３４】
上記の照明装置１０及びこの照明装置１０を含む航空機９０によれば、光源部１２の外面に形成された凹部３２と圧迫部７２に形成された凸部８１ａとの嵌合構造で光軸の保持を容易にし、かつ、耐振動性を向上できる。また、光源部１２を回動する際には、凹部３２と凸部８１ａとの嵌合を外すことにより、移動時の位置に応じて保持力を間欠的に高くするようにクリック感を持たせながら、光源部１２を容易に回動できる。これにより、ユーザの操作力を過度に高くすることなく光軸の向きを変更可能とし、変更後の光軸の保持力を高くできる。
【００３５】
また、圧迫部７２の第１接触領域Ｔ１には凸部８１ａが形成され、光源部１２の外面のうち第１接触領域Ｔ１に接触する部分には複数の凹部３２が形成されているので、凸部８１ａと凹部３２との関係を逆にした場合よりも製造が容易になる。また、本例とは異なり、圧迫部に凹部を形成する場合には、圧迫部の裏側端が突出するため、照明装置の高さが大きくなりやすいが、本例の構成ではこのような不都合を防止でき、照明装置１０の高さを低くできる。
【００３６】
また、圧迫部７２は、第１接触領域Ｔ１よりも長手方向の端に近い部分に光源部１２から離間した第２接触領域Ｔ２が配置されており、第２接触領域Ｔ２は、圧迫部７２の変形に応じて光源部１２と接触する。これにより、光源部１２が正面側から裏側に向けて押されたときに照明装置１０の過度な変形を抑制できるので、耐圧性を高くできる。例えば、図１０に示すように、光源部１２から第２接触領域Ｔ２に加わる力Ｆの向きは、中心軸Ｏ１に対し傾斜するので、中心軸Ｏ１と平行な方向の分力Ｆ１とともに、中心軸Ｏ１に対し直交する方向の分力Ｆ２を持つ。これにより、分力Ｆ２が強度の高い壁部５４ａ、５４ｂで受けやすくなり、圧迫部７２のうち中心軸Ｏ１方向の力を受ける裏側端部の厚みを過度に大きくする必要がなくなる。このため、照明装置１０の強度を高くしながら、照明装置の外形が過度に大きくなることを防止できる。したがって、照明装置１０の取付状態で、正面側から押す力に耐えられるように取付部である取付板部９２（図１１）の裏側に、照明装置１０を裏側から押さえる補強構造を設ける必要がない。このため、取付板部９２の裏側の省スペース化に寄与できるとともに、照明装置１０を取付板部９２に取り付ける作業の容易化を図れる。
【００３７】
また、圧迫部７２の第２接触領域Ｔ２は、圧迫部７２の変形に応じて光源部１２の外面と断面円弧形の部分で接触し、第２接触領域Ｔ２が光源部１２の外面に接触した状態で、圧迫部７２の光照射側の第１接触領域Ｔ１と第２接触領域Ｔ２との間には、光源部１２の外面から離れた非接触領域Ｔ３が配置される。これにより、光源部１２が正面側から押された場合に、光源部１２と圧迫部７２との摩擦力が高くなることを抑制できるとともに、光源部１２を所定位置、例えば照明装置１０の中央に容易に寄せることができる。
【００３８】
また、圧迫部７２は、板ばね８０と樹脂構造体７３との組み合わせで形成されるので、バネ力と高い強度を持つ圧迫部７２を容易に製造できる。例えば、圧迫部を板金のみにより形成する場合には、外から加わる力に対し強度を高くすることが困難であるが、本例の構成によれば、強度を高くできる。
【００３９】
図１２は、実施形態の別例の照明装置において、光源部１２ａの光源ボディ３０ａの外面中心部を裏側から見た図である。本例の構成では、光源ボディ３０ａの外面の中心寄り部分における光源側接触領域Ｓに、凹部として中心の凹部３２と、中心軸が互いに同一であり、中心軸Ｏ１と一致した複数の円環凹部９４ａ、９４ｂ、９４ｃ、９４ｄとが形成されている。
【００４０】
図７を参照して、圧迫部７２の板ばね８０に形成された凸部８１ａは、凹部３２と、複数の円環凹部９４ａ、９４ｂ、９４ｃ、９４ｄのそれぞれとに嵌合可能である。図１２では、光源部１２ａが光軸の向きを複数の段階で変えたときにおける凸部８１ａの複数の位置を二点鎖線で示している。
【００４１】
本例の構成によれば、中心軸Ｏ１に対する光軸の傾斜角度である抑角を複数段階で容易に変更することができる。本例においてその他の構成及び作用は、図１〜図１１の構成と同様である。
【００４２】
図１３は、実施形態の別例の照明装置において、図８に対応する図である。本例の構成では、圧迫部７２ａは、樹脂構造体７３ａと板ばね８０ａとを含んでいる。樹脂構造体７３ａの２つの端荷重受け部７４は、樹脂構造体７０ａの長手方向中間部の幅方向（図１３の紙面の表裏方向）中間部の連結部７９で連結される。この連結部７９には中心軸Ｏ１方向に貫通する孔は形成されていない。連結部７９の正面側（図１３の下側）面には、第１接触領域Ｔ１が配置され、この第１接触領域Ｔ１には正面側に突出する凸部７９ａが形成される。
【００４３】
さらに、板ばね８０ａは、樹脂構造体７３ａの裏側の溝部７６ａに係止され、板ばね８０ａの本体板部８１の中央部には正面側に突出する凸部８１ａが形成される。凸部８１ａは、連結部７９の凸部７９ａの裏側に嵌合して凸部７９ａを補強している。なお、本体板部８１に凸部を形成せず、本体板部８１と連結部７９の凸部７９ａの裏面との間に隙間が形成されてもよい。連結部７９の凸部７９ａは、光源部１２の光源ボディ３０の外面に形成された複数の凹部３２の１つに嵌合している。これにより、板ばね８０ａは、樹脂構造体７３ａを介して光源部１２を圧迫している。
【００４４】
本例の構成によれば、圧迫部７２ａの強度をさらに高くできるとともに、板ばね８０ａと樹脂構造体７３ａとの組み合わせで、バネ力と高い強度を持つ圧迫部７２ａを容易に製造できる。また、圧迫部７２ａに樹脂構造体７３ａを使用し、樹脂構造体７３ａの表面に摺動性のよい塗装を施すことで、荷重の分散性、及び回動操作時の荷重の安定性を高くできる。本例においてその他の構成及び作用は、図１〜図１１の構成と同様である。
【００４５】
図１４は、実施形態の別例の照明装置１０ａにおいて、図７の上半部に対応する図である。図１５は、別例において、光源部１２ｂが裏側に押されて圧迫部７２ｂの第２接触領域Ｔ２に光源部１２ｂが接触した状態を示している図１４に対応する図である。
【００４６】
本例の照明装置１０ａは、圧迫部７２ｂが樹脂構造体９５と板ばね８０とを組み合わせて形成される。圧迫部７２ｂは、図１３の構成と同様に、板ばね８０が樹脂構造体９５を介して光源部１２ｂを圧迫する。板ばね８０の係止部８３は、保持部５０の裏側に接続されたゲート部５５ａに係止される。樹脂構造体９５の正面側面の中央寄り部分には、正面側に突出する外円環リブ９６と、その内側の内円環リブ９７とが形成されて配置される。内、外円環リブ９７，９６は、互いの中心軸が同一であり、中心軸Ｏ１と一致している。各円環リブ９７，９６は、第１接触領域Ｔ１に形成された凸部に相当する。各円環リブ９７，９６の先端面は、同一の球面状にある。
【００４７】
一方、光源部１２ｂを構成する光源ボディ３０ｂの外面の球面部分の中心部と、その周囲とには、複数の凹部組１００ａ、１００ｂが形成される。周囲の凹部組１００ｂは、中心部の凹部組１００ａを取り囲むように配置される。各凹部組１００ａ、１００ｂは、外円環凹部１０１とその内側の内円環凹部１０２とを含んでいる。内、外円環凹部１０２，１０１は、互いの中心軸が同一である。各円環凹部１０２，１０１は、光源側接触領域Ｓに形成された凹部に相当する。また、内円環凹部１０２が内円環リブ９７に嵌合するとともに、外円環凹部１０１が外円環リブ９６に嵌合することが可能である。
【００４８】
さらに、圧迫部７２ｂは、第１接触領域Ｔ１よりも長手方向（図１４の左右方向）の端に近い部分に、光源部１２ｂと離間した第２接触領域Ｔ２が配置される。具体的には、樹脂構造体９５の正面側面（図１４の下側面）に形成された球面部分の端に近い部分に円弧形凸部９８が形成される。円弧形凸部９８は、樹脂構造体９５の球面部分の中心に向けて突出するように形成される。円弧形凸部９８の中心側面は、第２接触領域Ｔ２である。第２接触領域Ｔ２には、光源ボディ３０ｂの外面の球面部分とほぼ一致する断面円弧形の曲面が形成される。さらに、図１５に示すように、光源部１２ｂが正面側から裏側に押されると、圧迫部７２ｂが変形し、その変形に応じて、第２接触領域Ｔ２の断面円弧形の部分と、光源ボディ３０ｂの外面とが接触し、その状態で、圧迫部７２ｂの正面側の第１接触領域Ｔ１と第２接触領域Ｔ２との間には、光源部１２ｂの外面から離れた非接触領域Ｔ３が配置される。
【００４９】
さらに、図１５に示すように、発光体４０（図７参照）の光軸が照明装置１０ａの中心軸Ｏ１と一致しているホームポジションにある場合において、筐体１３ａの外面の球面部分の中央点Ｏ２から、圧迫部７２ｂの幅方向（図１５の紙面の表裏方向）中央での裏側面の長手方向の最外端Ｅ２を通る平面Ｌ２よりも、第２接触領域Ｔ２の少なくとも一部は、光照射側である正面側に配置される。これにより、光源部１２ｂが正面側から圧迫部７２ｂに押し付けられた場合に、光源部１２ｂから加わった力を、強度の高い壁部５４ａ、５４ｂでより受けやすくなり、照明装置１０ａの強度をさらに高くできる。
【００５０】
本例の構成によれば、内、外円環リブ９７，９６を複数の内、外円環凹部１０２，１０１に嵌合させることで、光源部１２ｂを回動しやすくするとともに、回動後に光軸を保持しやすくなる。
【００５１】
また、本例の構成によれば、第１接触領域Ｔ１に外円環リブ９６及び内円環リブ９７が配置されるとともに、各円環リブ９６，９７の先端面が同一の球面状にあるので、光源ボディ３０ｂの外面の球面部分が接触した場合に光源部１２ｂの回動中心を、この球面部分の中心に一致させやすくなる。各円環リブ９６，９７の先端面がある球面と光源ボディ３０ｂの外面の球面部分とは略一致することが好ましい。また、第１接触領域を大きな面積の正面側端面を持つ凸部とする場合と異なり、径方向の幅が小さい円環リブ９６，９７とすることで、光源部１２ｂの回動時の摩擦抵抗を過度に大きくすることなく、光源部１２ｂの回動中心を球面部分の中央点Ｏ２に一致させやすくなる。なお、外円環リブ９６及び内円環リブ９７の一方を省略してもよい。このとき、光源ボディの外面には圧迫部の円環リブの形状に応じた複数の円環凹部を形成する。本例において、その他の構成及び作用は、図１〜図１１の構成と同様である。
【００５２】
なお、図１４、図１５の構成において、圧迫部７２ｂの材料は、荷重が加わった際に変形することを許容し、かつ、第１接触領域Ｔ１と第２接触領域Ｔ２とで光源部１２ｂから加わる荷重を受けられる硬さを有することが好ましい。また、圧迫部７２ｂに樹脂構造体９５を使用し、樹脂構造体９５の光源ボディ３０ｂの外面と接触する表面に摺動性のよい塗装を施すことで、荷重の分散性、及び回動操作時の荷重の安定性を高くできる。また、光源部１２ｂの荷重を受ける摺動リング７０（図７参照）と、内、外円環リブ９７，９６とを中心軸Ｏ１に対し回転対称となる形状とすることで、光源部１２ｂの操作荷重を安定させることができる。
【００５３】
上記の各例では、圧迫部の第１接触領域に凸部を形成し、光源部の光源側接触領域に複数の凹部を形成する場合を説明したが、凸部と凹部とを形成する側は、互いに逆にしてもよい。この場合には、第１接触領域に形成する凹部の数を、光源側接触領域に形成する凸部の数より少なくしてもよい。
【００５４】
また、上記の各例では発光体としてＬＥＤを用いる場合を説明したが、光源部の発光体はこのような構成に限定するものではなく、ＬＥＤ電球、白熱電球等、種々の光源を用いることができる。
【００５５】
また、上記では、照明装置を取り付ける移動体が航空機である場合を説明したが、移動体は、新幹線、バス等とし、座席の上側に照明装置が取り付けられてもよい。
【符号の説明】
【００５６】
１０,１０ａ  移動体室内照明装置（照明装置）、１２,１２ａ,１２ｂ  光源部、１３,１３ａ  筐体、１４  カバー、１５  短筒部、１８，１９  開口、２２  取付凸部、３０,３０ａ,３０ｂ  光源ボディ、３１  平面部、３２  凹部、３３，３４  溝部、３５，３６  凸部、３７  孔、４０  発光体、４１  基板、４４  レンズ、５０  保持部、５１  円板部、５３  短筒部、５３ａ  円形鍔部、５４ａ,５４ｂ  壁部、５５,５５ａ  ゲート部、７０  摺動リング、７１  曲面部、７２,７２ａ,７２ｂ  圧迫部、７３,７３ａ  樹脂構造体、７４  端荷重受け部、７５  曲面部、７６,７６ａ  溝部、７７  連結部、７８  孔、７９  連結部、７９ａ  凸部、８０、８０ａ  板ばね、８１  本体板部、８１ａ  凸部、８２  端板部、８３  係止部、９０  航空機、９１  座席、９２  取付板部、９５  樹脂構造体、９６  外円環リブ、９７  内円環リブ、９８  円弧形凸部、１００ａ,１００ｂ  凹部組、１０１  外円環凹部、１０２  内円環凹部。
【図１】
2020050195.tif 000003
【図２】
2020050195.tif 000004
【図３】
2020050195.tif 000005
【図４】
2020050195.tif 000006
【図５】
2020050195.tif 000007
【図６】
2020050195.tif 000008
【図７】
2020050195.tif 000009
【図８】
2020050195.tif 000010
【図９】
2020050195.tif 000011
【図１０】
2020050195.tif 000012
【図１１】
2020050195.tif 000013
【図１２】
2020050195.tif 000014
【図１３】
2020050195.tif 000015
【図１４】
2020050195.tif 000016
【図１５】
2020050195.tif 000017